(57)【要約】【課題】私設網利用者が無線端末で私設網ＥＶ−ＤＯサービス及び公衆網ＥＶ−ＤＯサービスを選択的に利用でき、各端末のスペックにＥＶ−ＤＯサービス要求時に私設網及び公衆網に対する選択情報を含んで発信するようにすることにより、使用者がＥＶ−ＤＯ呼要求時に使おうとする網を経由してＥＶ−ＤＯサービスの提供を受けることができる無線公衆網と有線／無線私設網とが連動された網でＥＶ−ＤＯサービスを提供する方法を提供する。【解決手段】  無線公衆網と、有線／無線私設網と、が連動された網でＥＶ−ＤＯサービスを提供する際に、任意の端末でデータサービスを私設網及び公衆網の中のいずれの網へ伝送するかについての識別子を設定する第１のステップと、前記任意の端末から送信された前記識別子を検索し、検索結果に基づいて該当する網へＥＶ−ＤＯサービスを要求する第２のステップと、を含むように構成する。【選択図】図４
2005223907.tif 000002
【特許請求の範囲】
【請求項１】
無線公衆網と、有線／無線私設網と、が連動された網でＥＶ−ＤＯサービスを提供する方法において、
任意の端末でデータサービスを私設網及び公衆網の中のいずれの網へ伝送するかについての識別子を設定する第１のステップと、
前記任意の端末から送信された前記識別子を検索し、検索結果に基づいて該当する網へＥＶ−ＤＯサービスを要求する第２のステップと、を含むことを特徴とする無線公衆網と有線／無線私設網とが連動された網でデータサービスを提供する方法。
【請求項２】
無線公衆網と、有線／無線私設網と、が連動された網でＥＶ−ＤＯサービスを提供する方法において、
使用者が私設網を経由してＥＶ−ＤＯサービスの提供を受けるか設定する第１のステップと、
ＥＶ−ＤＯサービスを私設網及び公衆網の中のいずれの網へ伝送するかについての前記使用者の設定事項を私設網データベースに保存する第２のステップと、
任意の使用者がＥＶ−ＤＯサービスを要求すると、その使用者の端末の識別子を前記データベースで検索し、データベースに保存されている前記設定事項に基づいて私設網及び公衆網の中の該当する網にＥＶ−ＤＯサービスを提供する第３のステップと、を含むことを特徴とする無線公衆網と有線／無線私設網とが連動された網でＥＶ−ＤＯサービスを提供する方法。
【請求項３】
私設網を介してＥＶ−ＤＯサービスの提供を受けることを解除する第４のステップをさらに含むことを特徴とする請求項２記載の無線公衆網と有線／無線私設網とが連動された網でＥＶ−ＤＯサービスを提供する方法。
【請求項４】
前記第１ステップは、使用者が端末の操作キーを用いてデジットを入力設定することにより実行されることを特徴とする請求項２記載の無線公衆網と有線／無線私設網とが連動された網でＥＶ−ＤＯサービスを提供する方法。
【請求項５】
前記デジットは、私設網アクセスコード、機能アクセスコード及び特性コード(私設網ＥＶ−ＤＯサービス設定機能コード)の組み合せであることを特徴とする請求項４記載の無線公衆網と有線／無線私設網とが連動された網でＥＶ−ＤＯサービスを提供する方法。
【請求項６】
前記第２のステップは、基地局を介して受信されたＥＶ−ＤＯ呼が該当する使用者の端末の識別子と共に私設網制御局へ伝送され、当該私設網制御局内のデータベースに含まれる私設網ＥＶ−ＤＯサービス設定テーブルの各エントリー別に設定された私設網経路フィールドの情報に基づいて実行されることを特徴とする請求項２記載の無線公衆網と有線／無線私設網とが連動された網でＥＶ−ＤＯサービスを提供する方法。
【請求項７】
前記第４のステップは、使用者が端末の操作キーを用いて私設網アクセスコード、機能アクセスコード及び特性コード(私設網ＥＶ−ＤＯサービス設定解除機能コード)を入力設定することにより実行されることを特徴とする請求項３記載の無線公衆網と有線／無線私設網とが連動された網でＥＶ−ＤＯサービスを提供する方法。
【請求項８】
一定時間が経過した後に私設網経由のＥＶ−ＤＯ呼の設定を解除しようとする際に、私設網ＥＶ−ＤＯサービス設定の機能コードと時間コードとが組合された特性コードを入力設定することを特徴とする請求項５記載の無線公衆網と有線／無線私設網が連動された網でＥＶ−ＤＯサービスを提供する方法。
【請求項９】
使用者が端末の操作キーを用いて入力設定した時間コードに対する情報は、私設網制御局データベースに含まれる私設網ＥＶ−ＤＯ設定テーブルのタイマーフィールドに保存されることを特徴とする請求項８記載の無線公衆網と有線／無線私設網とが連動された網でＥＶ−ＤＯサービスを提供する方法。
【請求項１０】
無線公衆網と、有線／無線私設網と、が連動された網において、
任意の無線ＥＶ−ＤＯ端末から送信されるＥＶ−ＤＯ呼を受信するか、又は任意の無線端末へＥＶ−ＤＯ呼を送信する少なくとも一つ以上の基地局と、
前記基地局を介して送受信されるＥＶ−ＤＯ呼を制御する公衆網と、
前記基地局に受信されたＥＶ−ＤＯ呼に含まれる発信端末の識別子に基づいてＥＶ−ＤＯ呼を私設網及び公衆網の中のいずれの網へ送るかを決めてその網へ伝送する経路判断部を有する私設網と、
私設網で受信したＥＶ−ＤＯ呼が私設網経由の設定であると判断したときに、公衆網を介さないで私設網自身が直接サービスを提供する私設網専用の私設ＥＶ−ＤＯシステムと、を含むことを特徴とする無線公衆網と有線／無線私設網とが連動された網でＥＶ−ＤＯサービスを提供するシステム。
【請求項１１】
前記私設網は、発信端末の識別子フィールドとＥＶ−ＤＯサービス経路情報を有するフィールドとで構成されたテーブル構造のデータベースと、
基地局を介して受信したＥＶ−ＤＯ呼の発信識別子に基づいて前記データベースを検索して発信識別子に対応する呼サービス経路を判断して私設網及び公衆網の中で該当する網へ伝送する経路判断部と、
ルーティングソフトウェアモジュールを介して受信されたＥＶ−ＤＯ呼が私設網経由のＥＶ−ＤＯ呼であるときに、このＥＶ−ＤＯ呼を私設ＥＶ−ＤＯシステムへ伝送し、発信端末から私設網又は公衆網の経由設定についての入力情報があれば、この入力情報をデータベースに記録する私設網制御モジュールと、を含むことを特徴とする請求項１０記載の無線公衆網と有線／無線私設網とが連動された網でＥＶ−ＤＯサービスを提供するシステム。
【請求項１２】
前記データベースのＥＶ−ＤＯサービス経路フィールドは、使用者がデータサービス経路を任意に設定しないときの初期設定(デフォルト:default)を公衆網とすることを特徴とする請求項１１記載の無線公衆網と有線／無線私設網とが連動された網でＥＶ−ＤＯサービスを提供するシステム。
【請求項１３】
無線公衆網と、有線／無線私設網と、が連動されたシステムでＥＶ−ＤＯサービスを提供する方法において、
使用者が端末を用いてＥＶ−ＤＯ呼を発信する第１のステップと、
私設網が識別子情報に基づいて前記ＥＶ−ＤＯ呼を私設網及び公衆網の中のいずれの網へ伝送するかを判断する第２のステップと、
前記識別子情報に基づいて私設網経由のＥＶ−ＤＯ呼と判断されると、このＥＶ−ＤＯ呼を私設ＥＶ−ＤＯシステムへ伝送する第３のステップと、
識別子情報に基づいて公衆網経由のＥＶ−ＤＯ呼と判断されると、このＥＶ−ＤＯ呼を公衆ＥＶ−ＤＯシステムへ伝送する第４のステップと、を含むことを特徴とする無線公衆網と有線／無線線私設網とが連動された網でＥＶ−ＤＯサービスを提供する方法。
【請求項１４】
無線公衆網と、有線／無線私設網と、が連動された網において、
ＥＶ−ＤＯ呼の発信時に識別子情報と共にメッセージを伝送するようにアップグレードされた端末と、
前記端末から送信されるＥＶ−ＤＯ呼を受信するか、又は任意の前記端末へＥＶ−ＤＯ呼を送信する少なくとも一つ以上の基地局と、
前記端末から受信されたＥＶ−ＤＯ呼メッセージに含まれる識別子情報に基づいてこのＥＶ−ＤＯ呼を私設網及び公衆網の中のいずれの網へ伝送するかを判断する私設網と、
少なくとも一つ以上の基地局を介して送受信されるＥＶ−ＤＯ呼を公衆網を介して送受信する際にデータ制御を行なう公衆網と、
私設網で受信したＥＶ−ＤＯ呼が私設網経由設定であると判断したときに、公衆網を介さないで私設網自身が直接サービスを提供する私設網専用の私設ＥＶ−ＤＯシステムと、を含むことを特徴とする無線公衆網と有無線私設網が連動された網でＥＶ−ＤＯサービスを提供するシステム。
【請求項１５】
前記端末は、ディスプレイ部でＥＶ−ＤＯサービスの経由網表示及び残余伝送回数、残余時間などを表示することを特徴とする請求項１４記載の無線公衆網と有線／無線私設網とが連動された網でＥＶ−ＤＯサービスを提供するシステム。
【請求項１６】
前記ディスプレイ部は、液晶画面(ＬＣＤ: Liquid Crystal Display)であることを特徴とする請求項１５記載の無線公衆網と有線／無線私設網とが連動された網でＥＶ−ＤＯサービスを提供するシステム。
【発明の詳細な説明】
【技術分野】
【０００１】
本発明は、無線公衆網と私設網とが連動されたサービスに関し、より詳しくは、無線公衆網と有線／無線線私設網とが連動された網で、私設網を介してＥＶ−ＤＯ(EVolution Data Only)サービスの提供を受けることのできるＥＶ−ＤＯサービスを提供する方法及びそのシステムに関する。
【背景技術】
【０００２】
社内(インビルディング:In-Building)事務環境において無料で音声通話及びデータサービスを提供するためのソリューションの一つに区内有線／無線私設交換機にＣＤＭＡ−ＲＦ技術を組み合わせたシステムが登場するようになった。
【０００３】
前記区内無線網とは、ビルなどの事務室環境のみを意味することではなく、一定の区域内での通信環境(例: キャンパス、軍部隊など)を含む。
【０００４】
このように無線公衆網と有線／無線線私設網とが連動されたネットワークシステムは、建物内での移動時にどの場所からでも通話が可能であり、区内ゾーン(Zone)から離脱する場合には公衆無線網とのハンドオフ(Hand-Off)機能を支援し、文字メッセージサービスを利用して緊急伝達内容を伝達する。またイントラネット構築時には外部で必要な社内情報を検索することができるなど、多様な付加サービスを提供する。
【０００５】
しかしながら、従来においては、このシステムで区内(私設網を介する)ＥＶ−ＤＯサービスは支援されていない。
【０００６】
これは、端末が区内ＥＶ−ＤＯサービス要求信号を発信する際に、私設網で現在伝達を受けたデータサービスが公衆網経由呼か私設網経由呼かを判別することができないからである。
【０００７】
即ち、無線公衆網と有線／無線線私設網とが連動された網において、区内無線端末で区内私設網ＥＶ−ＤＯサービスを受けるためにＥＶ−ＤＯ呼を試みる場合、公衆網及び私設網の中でどの網を利用してＥＶ−ＤＯサービスの提供を受けようとするかについての区分情報がないため、無条件に公衆網を介してＥＶ−ＤＯサービスを受けるようになる。
【０００８】
したがって、従来の無線公衆網と有線／無線私設網とが連動された網では、区内(私設網経由)ＥＶ−ＤＯサービスを利用することができないという問題点がある。
【発明の開示】
【発明が解決しようとする課題】
【０００９】
本発明は上述したような従来技術の問題点を解決するためになされたものであり、その目的は、私設網利用者が無線端末で私設網ＥＶ−ＤＯサービス及び公衆網ＥＶ−ＤＯサービスを選択的に利用することのできる無線公衆網と有無／無線私設網とが連動された網でＥＶ−ＤＯサービスを提供する方法及びそのシステムを提供することにある。
【００１０】
本発明の他の目的は、各端末からのＥＶ−ＤＯサービス要求時に私設網及び公衆網に対する選択情報を含んで発信するようにすることにより、使用者がＥＶ−ＤＯ呼の要求時に選択した網を経由してＥＶ−ＤＯサービスの提供を受けることができるようにすることにある。
【課題を解決するための手段】
【００１１】
前記目的を達成するための本発明による無線公衆網と有線／無線私設網とが連動された網でデータサービスを提供する方法は、任意の端末でデータサービスを私設網及び公衆網の中のいずれの網へ伝送するかについての識別子を設定する第１のステップと、前記任意の端末から送信された前記識別子を検索し、検索結果に基づいて該当する網へＥＶ−ＤＯサービスを要求する第２のステップと、を含むことを特徴とする。ここで、前記有線／無線私設網とは、無線私設網または、有線及び無線が結合された私設網を意味する。
【００１２】
前記目的を達成するための本発明による無線公衆網と有線／無線私設網とが連動された網でデータサービスを提供する方法は、使用者が私設網を経由してＥＶ−ＤＯサービスの提供を受けるか設定する第１のステップと、ＥＶ−ＤＯサービスを私設網及び公衆網の中のいずれの網へ伝送するかについての前記使用者の設定事項を私設網データベースに保存する第２のステップと、任意の使用者がＥＶ−ＤＯサービスを要求すると、その使用者の端末の識別子を前記データベースで検索し、データベースに保存されている前記設定事項に基づいて私設網及び公衆網の中の該当する網にＥＶ−ＤＯサービスを提供する第３のステップと、を含むことを特徴とする。
【００１３】
また、私設網を介してＥＶ−ＤＯサービスの提供を受けることを解除する第４のステップをさらに含むことができる。
【００１４】
前記第１ステップは、使用者が端末の操作キーを用いてデジットを入力設定することにより実行されることができる。
【００１５】
前記デジットは、私設網アクセスコード、機能アクセスコード及び特性コード(私設網ＥＶ−ＤＯサービス設定機能コード)の組み合せとすることができる。
【００１６】
前記第２のステップは、基地局を介して受信されたＥＶ−ＤＯ呼が該当する使用者の端末の識別子と共に私設網制御局へ伝送され、当該私設網制御局内のデータベースに含まれる私設網ＥＶ−ＤＯサービス設定テーブルの各エントリー別に設定された私設網経路フィールドの情報に基づいて実行されることができる。
【００１７】
前記第４のステップは、使用者が端末の操作キーを用いて私設網アクセスコード、機能アクセスコード及び特性コード(私設網ＥＶ−ＤＯサービス設定解除機能コード)を入力設定することにより実行されることができる。
【００１８】
また、一定時間が経過した後に私設網経由のＥＶ−ＤＯ呼の設定を解除しようとする際に、私設網ＥＶ−ＤＯサービス設定の機能コードと時間コードとが組合された特性コードを入力設定することができる。更に、使用者が端末の操作キーを用いて入力設定した時間コードに対する情報は、私設網制御局データベースに含まれる私設網ＥＶ−ＤＯ設定テーブルのタイマーフィールドに保存されることことができる。
【００１９】
前記目的を達成するための本発明による無線公衆網と有線／無線私設網とが連動された網でＥＶ−ＤＯサービスを提供するシステムは、無線公衆網と、有線／無線私設網と、が連動された網において、任意の無線ＥＶ−ＤＯ端末から送信される呼を受信するか、又は任意の無線端末へ呼を送信する少なくとも一つ以上の基地局と、前記基地局を介して送受信されるＥＶ−ＤＯ呼を制御する公衆網と、前記基地局に受信されたＥＶ−ＤＯ呼に含まれる発信端末の識別子に基づいてＥＶ−ＤＯ呼を私設網及び公衆網の中のいずれの網へ送るかを決めてその網へ伝送する経路判断部を有する私設網と、私設網で受信したＥＶ−ＤＯ呼が私設網経由の設定であると判断したときに、公衆網を介さないで私設網自身が直接サービスを提供する私設網専用の私設ＥＶ−ＤＯシステムと、を含むことを特徴とする。
【００２０】
前記私設網は、発信端末の識別子フィールドとＥＶ−ＤＯサービス経路情報を有するフィールドとで構成されたテーブル構造のデータベースと、基地局を介して受信した呼の発信識別子に基づいて前記データベースを検索して発信識別子に対応する呼サービス経路を判断して私設網及び公衆網の中で該当する網へ伝送する経路判断部と、ルーティングソフトウェアモジュールを介して受信された呼が私設網経由のＥＶ−ＤＯ呼であるときに、この呼を私設ＥＶ−ＤＯシステムへ伝送し、発信端末から私設網又は公衆網の経由設定についての入力情報があれば、この入力情報をデータベースに記録する私設網制御モジュールと、を含むことができる。
【００２１】
前記データベースのＥＶ−ＤＯサービス経路フィールドは、使用者がデータサービス経路を任意に設定しないときの初期設定(デフォルト:default)を公衆網とすることができる。
【００２２】
前記目的を達成するための本発明による無線公衆網と有線／無線線私設網とが連動された網でＥＶ−ＤＯサービスを提供する方法は、使用者が端末を用いてＥＶ−ＤＯ呼を発信する第１のステップと、私設網が識別子情報に基づいて前記ＥＶ−ＤＯ呼を私設網及び公衆網の中のいずれの網へ伝送するかを判断する第２のステップと、前記識別子情報に基づいて私設網経由のＥＶ−ＤＯ呼と判断されると、このＥＶ−ＤＯ呼を私設ＥＶ−ＤＯシステムへ伝送する第３のステップと、識別子情報に基づいて公衆網経由のＥＶ−ＤＯ呼と判断されると、このＥＶ−ＤＯ呼を公衆ＥＶ−ＤＯシステムへ伝送する第４のステップと、を含むことを特徴とする。
【００２３】
また、前記目的を達成するための本発明による無線公衆網と有無線私設網が連動された網でＥＶ−ＤＯサービスを提供するシステムは、無線公衆網と、有線／無線私設網と、が連動された網において、ＥＶ−ＤＯ呼の発信時に識別子情報と共にメッセージを伝送するようにアップグレードされた端末と、前記端末から送信されるＥＶ−ＤＯ呼を受信するか、又は任意の前記端末へＥＶ−ＤＯ呼を送信する少なくとも一つ以上の基地局と、前記端末から受信されたＥＶ−ＤＯ呼メッセージに含まれる識別子情報に基づいてこのＥＶ−ＤＯ呼を私設網及び公衆網の中のいずれの網へ伝送するかを判断する私設網と、少なくとも一つ以上の基地局を介して送受信されるＥＶ−ＤＯ呼を公衆網を介して送受信する際にデータ制御を行なう公衆網と、私設網で受信したＥＶ−ＤＯ呼が私設網経由設定であると判断したときに、公衆網を介さないで私設網自身が直接サービスを提供する私設網専用の私設ＥＶ−ＤＯシステムと、を含むことを特徴とする。
【００２４】
前記端末は、ディスプレイ部でＥＶ−ＤＯサービスの経由網表示及び残余伝送回数、残余時間などを表示することができる。また前記ディスプレイ部は、液晶画面(ＬＣＤ: Liquid Crystal Display)であってもよい。
【発明の効果】
【００２５】
本発明によれば、無線公衆網と有線／無線私設網が連動された網において、ＥＶ−ＤＯ呼を公衆網及び私設網の中から選択して伝送することができる。その結果、使用者にとって便利なサービスを提供することが可能になる。
【００２６】
また、各使用者の端末に対して、システムのソフトウェアアップグレードによりハードウェア及びソフトウェアの変更をしないでＥＶ−ＤＯ呼を私設網へ伝送できるので、その分において費用が発生しないという利点がある。
【発明を実施するための最良の形態】
【００２７】
以下、添付の図面を参照して本発明による好ましい実施形態について詳しく説明する。
【００２８】
本発明の構成を説明する前に、無線私設網と私設ＥＶ−ＤＯサービスのための連動システムについて説明しておく。
【００２９】
図１は、無線私設網と私設ＥＶ−ＤＯサービスのための連動システムを概略的に示したブロック図である。
【００３０】
図１に図示されるように、無線私設網と私設ＥＶ−ＤＯサービスが連動される網（ネットワーク）の構成は、任意の端末から送受信されるＥＶ−ＤＯサービス信号を中継する複数のＢＴＳ(Base Transceiver Station)１１，１２，１３と、ＢＴＳ１１，１２，１３から伝送される信号を整合（マッチング）するＢＳＣ(Base Station Controller)制御局２０と、公衆網端末の認証などをする機能を有するするＡＮ−ＡＡＡ(Access Network Authentiction Accounting Authorization)３０と、端末の位置情報などを保存するＤＬＲ(Data Location Register)４０と、私設ＥＶ−ＤＯ端末の位置情報などを保存する私設ＤＬＲ(Data Location Register)５０とを含む構成である。
【００３１】
前記端末は、公衆ＥＶ−ＤＯ網及び私設ＥＶ−ＤＯ網で共通に使うことができる無線端末である。
【００３２】
また、ＢＴＳ１１，１２，１３は、各々所定の公衆無線領域を有し、その領域内に端末が進入した場合にセッションを設定して端末で呼（コール）の着信が行われるようにすると共に、端末からの呼接続要求がある場合に呼接続要求信号をＢＳＣ２０に中継する。
【００３３】
前記ＢＳＣ２０は、ＢＳＣ２０の全般的な制御機能を有するＢＭＰ(ＢＳＣ Main Processor)２１と、受信したＥＶ−ＤＯ呼を公衆網にルーティングするＡＴＰ−Ｓ２２と、ＤＬＲ４０またはＡＮ−ＡＡＡ３０とのインターフェースを提供するＲＤＰ(RAN PDN Processor)２３とを含んでいる。
【００３４】
前記のように構成されたシステムにおいて、任意の端末（無線ＥＶ−ＤＯ端末）からＥＶ−ＤＯサービスを要求する信号が該当する無線領域のＢＴＳ１１，１２，１３に送信されると、ＡＴＰ−Ｓ２２はＥＶ−ＤＯ呼を該当する網にルーティングする。
【００３５】
ここで、従来におけるＥＶ−ＤＯサービスを提供する工程について述べておく。 
【００３６】
図２は、従来における無線公衆網と私設網とが連動された網でＥＶ−ＤＯサービスを提供する工程に関する図である。
【００３７】
図２を参照すると、まず、任意の端末(ＡＴ：Access Terminal)１０は、ＥＶ−ＤＯサービスに対してエア区間(air section)内で区別することができる因子であるＵＡＴＩ(Unicast Access Terminal Identifier)をアクセスネットワーク(ＡＮ: Access Network)から割り当てを受けるために、ＵＡＴＩの割り当てを試みる(UATI_Request)。
【００３８】
アクセスネットワークのＢＳＣ７０は、システムのＤＬＲ４０にアクセスしてＵＡＴＩの割り当てを受け、ＡＴ１０にＵＡＴＩを転送する(UATI_Assign)。
【００３９】
一方、ＡＴ１０は、ＵＡＴＩの割り当てを受けてセッション交渉のためにトラフィックチャンネルの割り当てを要求する(Connection_Request)。トラフィックチャンネルが成立されると、ＢＴＳ１１とＢＳＣ１２との間にトラフィック専用ＳＶＣセットアップを割り当て、ＰＤＳＮ６０端ではＩＰの割り当てを受けるようになる。
【００４０】
その後、ＥＶ−ＤＯスペック上のプロトコルを交渉(Session_Configuration_Nego)するのために、ＡＴ１０は初期化交渉工程を実行した後、ＢＳＣ２０の初期化交渉工程を実行する。
【００４１】
前記端末プロトコルに対する交渉(negotiation)が完了されると、ＡＴ１０は最新の交渉情報をＤＬＲ4０にアップデートする(Negoinfo_Update)。その後、セッション交渉のために割り当てたトラフィックチャンネルをリリース（解約）する(Connection_Release)。
【００４２】
そして、ＡＴ１０はサービスプロバイダによる認証を受けるため、トラフィックチャンネル割り当てを要求する(Connection_Request)。トラフィックチャンネルが成立されると、ＡＴ１０はネットワークアクセス識別子（ＩＤ）及びパスワードを利用してＡＮ−ＡＡＡ３０サーバーにアクセスして認証を試みる。
【００４３】
前記認証が成功すると、ＢＳＣ２０はＡＮ−ＡＡＡ３０から認証情報としてのＩＭＳＩを取得する。
【００４４】
前記ＢＳＣ２０は、ＩＭＳＩ情報をＤＬＲ４０に送ってＩＭＳＩ情報をアップデートする(IMSI_Update)。その後、ＡＴ１０は、ＰＤＳＮ(Packet Data ServingNode)６０との連結（通信接続）をセットアップして(RP_Connection Setup)、ＥＶ−ＤＯサービスの提供を受けるようになる。
【００４５】
このように、従来においては、端末で接続要求（Connection Request）メッセージを伝送するとき、サービスを区別することができる区分情報を含まずにシステムにアクセスするので、ＥＶ−ＤＯ呼を無条件に公衆網へ送るしかない。
【００４６】
以下、本発明の実施形態による無線公衆網と私設網とが連動された網でＥＶ−ＤＯサービスを提供する装置及び方法について説明する。
【００４７】
図３は、本実施形態による無線公衆網と有線／無線有無線私設網とが連動された網において該当網選択ＥＶ−ＤＯサービスを提供するシステムに関する概念的なブロック図である。
【００４８】
ここで、前記有線／無線私設網とは、無線私設網または、有線及び無線が結合された私設網を意味する。
【００４９】
公衆ＥＶ−ＤＯシステム３００は、ＥＶ−ＤＯサービスを提供するためのコンテンツサーバー４００を含んでいる。
【００５０】
私設ＥＶ−ＤＯシステム２００は、ＥＶ−ＤＯサービスを提供するための私設コンテンツサーバー２６０と、ＥＶ−ＤＯサービスをどの網を介して提供するかを判断する経路判断部２１０を含んでいる。
【００５１】
より詳しくは、前記経路決定部２１０は、発信端末(ＡＴ)から発信されるＥＶ−ＤＯ要求信号に含まれた識別子（経路識別子）に基づいて、このＥＶ−ＤＯ呼をどの網を経由して伝送するかを決めることができるように構成されている。前記識別子（経路識別子）は、私設網及び公衆網の中のいずれの網でサービスを伝送するかを使用者が端末を用いて指定した識別情報である。
【００５２】
他の手法としては、ＥＶ−ＤＯを私設網を介して伝送するという情報（設定メッセージ）を発信端末(ＡＴ)から予め受け取っておき、この情報を私設ＥＶ−ＤＯシステム２００内のデータベース（私設網データベース）に保存しておくことにより、その後に発生される発信端末(ＡＴ)からのＥＶ−ＤＯ要求信号に対しては使用者の設定事項（情報）に基づいて私設網及び公衆網を選択して伝送することができる。
【００５３】
データベースには、私設網ＥＶ−ＤＯサービスに関する設定値を格納するテーブル（私設網ＥＶ−ＤＯサービス設定テーブル）が含まれており、データベースへのエントリー毎に形成された私設網経路フィールドに使用者の設定した経路情報が記憶されている。この経路情報は、私設網ＥＶ−ＤＯサービス設定テーブルに設けられた識別子フィールドに記憶される発信端末の識別子と対応付けて記憶されている。また当該データベースの私設網ＥＶ−ＤＯサービス設定テーブルは、使用者が端末の操作キーを用いて入力設定した時間コードに対する情報を記憶するためのタイマーフィールドを備えている。
【００５４】
前記のように構成されたシステムにおいて、実際に発信端末からＥＶ−ＤＯサービス要求信号を送信してＥＶ−ＤＯサービスの提供を私設網及び公衆網の中のいずれかの網から受ける工程について以下に説明する。
【００５５】
まず、発信端末(ＡＴ)からＥＶ−ＤＯサービス要求信号を発信すると、この信号はカバレージ領域（無線可能領域）にあるＢＴＳ１００を介して私設ＥＶ−ＤＯシステム２００に受信される。
【００５６】
私設ＥＶ−ＤＯシステム２００内の経路判断部２１０は、受信したＥＶ−ＤＯサービス要求信号に含まれる識別子に基づいてこのＥＶ−ＤＯ呼がどの網を介して伝送されるかを判断する。
【００５７】
もし、識別子に基づき私設網経由で伝送されるＥＶ−ＤＯ呼であると判断されると、このＥＶ−ＤＯ呼を私設コンテンツサーバー２６０に送信して該当ＥＶ−ＤＯサービスの提供を受けることができる。
【００５８】
また、識別子に基づき公衆網経由で伝送されるＥＶ−ＤＯ呼であると判断されると、このＥＶ−ＤＯ呼を公衆網コンテンツサーバー４００に送信して該当ＥＶ−ＤＯサービスの提供を受けることができる。
【００５９】
続いて、私設網が公衆網の一部分に連結されて運営されるシステムを一例に挙げて説明する。
【００６０】
図４は、公衆網のＢＳＣ端に私設網が連結されたＥＶ−ＤＯサービスを提供するシステムに関するブロック図である。
【００６１】
図４を参照すると、本システムは、ＢＴＳ１００、私設ＢＳＣ２２０、ＢＳＣ３２０、私設ＨＬＲ２３０、私設ＰＤＳＮ２４０、私設ＤＬＲ２５０、私設コンテンツサーバー２６０、ＨＬＲ３３０、ＰＤＳＮ３４０、ＤＬＲ３５０、ＡＮ−ＡＡＡ３６０を含む構成である。
【００６２】
前記ＢＳＣ３２０は、ＢＳＣの全般的な制御機能を有するＢＭＰ（ＢＳＣメインプロセッサ）３２１と、受信したＥＶ−ＤＯ呼を公衆網にルーティングするＡＴＰ−Ｓ３２２と、ＤＬＲ３５０またはＡＮ−ＡＡＡ３６０とのインターフェースを提供するＲＤＰ(PCF)３２３とを含んでいる。
【００６３】
前記ＨＬＲ(Home Location Register)３３０は、加入者情報を格納したサーバーであり、加入者がサービスを要求する際にＨＬＲ３３０にアクセスすることで必要な加入者情報を受け取ることができる。
【００６４】
前記ＰＤＳＮ３４０は、ＢＳＣ３２０のＲＤＰ(PCF)３２３とインターネットネットワークとを接続するノードである。このＰＤＳＮ３４０は、ＰＰＰを支援するので端末(ＡＴ)にＩＰを割り当てるようにする。また、ＰＤＳＮ３４０は、ＣＤＭＡ １x呼及びＥＶ−ＤＯ呼に対して共通的に使うことができる。
【００６５】
前記ＤＬＲ(Data Location Register)３５０は、ＥＶ−ＤＯ加入者情報を管理するサーバーである。このＤＬＲ３５０は、ＥＶ−ＤＯ加入者にＵＡＴＩを割り当て、端末のセッション交渉後にはセッション情報が保存され、認証過程を実行した後には端末のＩＭＳＩ情報が保存されるように構成されている。また、ＤＬＲ３５０は、ＨＬＲ３３０と同様に、加入者がサービスを要求する際に端末の情報を伝送する機能を有する。
【００６６】
前記ＡＮ−ＡＡＡ３６０は、ＥＶ−ＤＯ加入者に対する認証情報を格納する認証サーバーである。ＡＮ−ＡＡＡ３６０は、加入者がアクセスして認証に成功すれば、端末のＩＭＳＩ情報をＢＳＣ３２０に転送する。さらに、ＢＳＣ３２０は、ＡＮ−ＡＡＡ３６０から受信した情報をＤＬＲ３５０に保存すると共に、その後に端末がサービスを要求すれば、ＤＬＲ３５０にアクセスしてこの情報を使用することができるように構成されている。
【００６７】
前記私設ＢＳＣ２２０は、端末で送信した機能コード（ファンクションコード）をセッティングしてＢＳＣの全般的な制御を担当するＢＭＰ２２１と、受信したＥＶ−ＤＯ呼の識別子または予め設定された機能コードの情報に基づいて該当する網にルーティングするルーティングソフトウエアモジュールを備えたＡＴＰ−Ｓ２２２と、ＤＬＲ２５０またはＡＮ−ＡＡＡ３６０とのインターフェースを提供するＲＤＰ(PCF)２２３を含む。即ち、ＢＳＣ２２０は、私設網制御モジュールとして構成されている。
【００６８】
前記私設ＤＬＲ２５０は、公衆網ＤＬＲ３５０とエア区間データ伝送インターフェースを提供するＡ１４インターフェースを介して加入者情報を受け渡しする役割を有し、私設ＤＬＲ２５０と公衆網ＤＬＲ３５０との接続は、専用線または内部ＡＴＭ網を利用することができる。私設ＤＬＲは、それ自身がＵＡＴＩを割り当てることができない。したがって、私設ＤＬＲは、公衆網ＤＬＲ３５０からＵＳＴＩを受け取らなければならない。
【００６９】
前記私設ＰＤＳＮ２４０は、ソフトウェアブロックとして、ＲＤＰ(PCF)２２３，ＡＴＰ−Ｓ２２２又はＢＭＰ２２１に加えた構成とすることができる。
【００７０】
前記私設ＨＬＲ２３０は、私設ＥＶ−ＤＯ呼設定加入者情報を格納したサーバーである。加入者は私設ＥＶ−ＤＯ呼サービスを要求する際に、私設ＨＬＲ２３０にアクセスして必要な加入者情報を受け取ることができる。
【００７１】
前記のように構成されたシステムにおいて、使用者が私設網を介してＥＶ−ＤＯサービスの提供を受けるためには、まず、私設網データサービス経路を設定しておく工程が先に行なわれなければならない。
【００７２】
したがって、使用者は端末からＥＶ−ＤＯ呼を発信する前に、どの網を経由してＥＶ−ＤＯサービスの提供を受けるかについて、端末の操作キー（例えばボタンキー）を利用して機能コードを設定することにより、網使用に対する設定値、つまり経路設定情報を私設ＢＭＰ２２１に保存させる。
【００７３】
仮に、網使用の初期設定(デフォルト:default)が公衆網に設定されている場合、私設網を経由しようとするならば私設網を使うことに対する設定を予めしておかなければならない。 
【００７４】
一方、初期設定(デフォルト:default)が私設網に設定されている場合、公衆網を経由しようとするならば公衆網を使うことに対する設定を予めしておかなければならない。 
【００７５】
即ち、ＢＭＰ２２１に、この端末が公衆網ＥＶ−ＤＯで設定されていたときには該当のＥＶ−ＤＯ呼をＡＮ−ＡＡＡ３６０とＤＬＲ３５０にルーティングする。一方、端末が私設網ＥＶ−ＤＯで設定されていたときには該当ＥＶ−ＤＯ呼をＡＮ−ＡＡＡ３６０と私設ＤＬＲ２５０にルーティングする。
【００７６】
上述したように、該当する網を介してＥＶ−ＤＯサービスを受ける前に、使用者はＥＶ−ＤＯ使用網の指定のために端末で機能コードを設定する工程を先行して行なわなくてはならない。 
【００７７】
私設網を指定する機能コードを設定するには、私設網アクセスコード(#)、機能アクセスコード(#)及び特性コード（私設網ＥＶ−ＤＯサービス設定機能コード）を入力してＥＶ−ＤＯシステムへ伝送する。
【００７８】
この時、端末は、ハイブリッドモードで動作してＥＶ−ＤＯモードでシステムにアクセスするようになる。
【００７９】
そして、ＥＶ−ＤＯシステムが該当機能コードを受信すると、ＢＭＰ(ＶＬＲ:Virtual Location Register)２２１はその端末が使う網に対する選択情報を設定する。 
【００８０】
前記ＢＭＰ（VLR）２２１には、端末ＩＤ(例えばＭＩＮ、ＥＳＮなど)が予め入力されている。 
【００８１】
前記ＭＩＮやＥＳＮ以外にも、発信端末ＩＤには、ＩＭＳＩ(International Mobile Subscriber Identity)、ＴＭＳＩ(Temporary Mobile Subscriber Identity)などがある。
【００８２】
ここで、ＭＩＮは、端末機電話番号であり、十進数１０桁形態で表される。また、ＥＳＮは、端末機に割り当てられる区分字であり、８ビットが割り当てられる。
【００８３】
端末ＩＤの表現方法は端末機種類毎に異なるが、ＭＩＮ、ＥＳＮ、ＩＭＳＩ及びＴＭＳＩの中からいずれか一つ選択した端末ＩＤで認識を行なってもよい。 
【００８４】
また、上記説明においては、私設網アクセスコードを“＃”で定義し、さらに機能アクセスコードも“＃”で定義したが、これに限られず他の値で定義されていれば、その値を用いて認証してもよい。即ち、“＊”や他の番号キーで定義されていればそれを用いるようにすればよい。
【００８５】
前記私設網アクセスコード、機能アクセスコード及び特性コードに対応するコード値は、私設網制御局内部のデータベースに保存され、任意の発信端末から送信されるデジット（例えばダイヤルデジット値）によって該当コードに対応する機能を実行できるようにする。
【００８６】
一方、システム運用者が機能セッティングすることにより、特定時間に特定地域にいる加入者に特定のサービスを提供することができる。即ち、所定の時間例えば業務時間帯(例; 8:00〜17:00)に所定の領域(例;事務室内)にいる加入者に対し私設ＥＶ−ＤＯサービスを提供するようにシステムを設定することができる。このような設定は、システム運用者やシステムプロバイダにより行なうことができる。
【００８７】
また上記システムにおいては、私設網使用選択のため設定された機能コードの設定を解除、即ち、私設網を介してＥＶ−ＤＯサービスの提供を受けることを解除することができる。解除の具体的な手順としては、例えば以下に挙げる方法を選択して行うことができる。 
【００８８】
その一つとして、私設網アクセスコード(＃)と機能アクセスコード(＃)と特性コード(この場合、解除を要求するコードである)を入力した場合、その後は公衆網を介してＥＶ−ＤＯサービスの提供を受けるようになる。他の方法として、タイマーを動作させておき、一定時間の間に端末が私設ＥＶ−ＤＯ網に接続しなければ、自動で私設網の接続を解除することができる。さらに他の方法として、私設ＥＶ−ＤＯサービス呼を完了した後に自動で私設網接続を解除することができる。
【００８９】
さらに、上記以外にも、機能コード及び特性コードを利用して多様に網使用オプションを設定することができる。
【００９０】
また、前記端末は、液晶画面(ＬＣＤ: Liquid Crystal Display)などのディスプレイ部を有し、このディスプレイ部にＥＶ−ＤＯサービスの経由網表示及び残余伝送回数、残余時間などを表示することができるように構成されている。
【００９１】
前記のように機能コードが設定された状態において、実際にＥＶ−ＤＯ呼サービスを提供する方法は、以下のように２種類に区分される。 
【００９２】
公衆網ＥＶ−ＤＯサービスの場合には認証可否と関係がないのでその説明を省略する。そして、私設ＥＶ−ＤＯサービスの場合には認証を受けた状態と、未認証の状態との二つに分けて説明する。
【００９３】
加入者が私設ＥＶ−ＤＯサービスを要求すれば、私設ＤＬＲ２５０はＡ１４インターフェースを介して公衆ＤＬＲ３５０に加入者情報を要求する。このとき、受け取った加入者情報に認証情報(IMSI)がある場合と、認証情報がない場合の２つのケースがある。
【００９４】
ＩＭＳＩがある場合は、アクセスネットワークに該当するＢＳＣがサービスを支援するための全ての情報を備えた状態なので、私設ＥＶ−ＤＯサービスを速やかに提供することができる。一方、ＩＭＳＩがない場合は、ＢＳＣからＩＭＳＩ情報を受け取ってからサービスが提供される。
【００９５】
以下、図５を参照して端末が認証を受けた状態での私設ＥＶ−ＤＯサービスが提供される工程について説明する。
【００９６】
図５は、無線公衆網と私設網とが連動された網において認証を受けた端末がＥＶ−ＤＯサービスの提供を受ける工程を示した図である。
【００９７】
先ず、私設網サービス領域内で任意の端末(ＡＴ)がＥＶ−ＤＯを要求する接続要求（Connection_Request）のメッセージを伝送すると(Ｓ１０１)、ＡＴＰＳ２２２の有するＡＮＭＲ(Access Network Message Router)で端末からのアクセスメッセージである接続要求（Connection_Request）メッセージのヘッダーから該当する端末のＵＡＴＩを取得する(Ｓ１０２)。
【００９８】
そして、取得したＵＡＴＩと共に認証情報要求（IMSI_Request）のメッセージを私設ＤＬＲ２５０へ伝送すると(Ｓ１０３)、私設ＤＬＲ２５０はＵＡＴＩに対応するＩＭＳＩ値を認証情報応答（IMSI_Response）としてＡＴＰＳ２２２へ伝送する(Ｓ１０４)。
【００９９】
このＩＭＳＩ値は、ＢＭＰ２２１のＢＴＭＲに伝送され(Ｓ１０５)、ＢＭＰ（ＶＬＲ）２２１に保存されているＩＭＳＩ値に対応した該当端末の使用網設定情報が参照される。
【０１００】
このとき、該当端末が私設ＥＶ−ＤＯを選択した設定にされていれば、現在発生しているＥＶ−ＤＯ呼を私設網にルーティングする。一方、公衆ＥＶ−ＤＯを選択した設定にされていれば、ＥＶ−ＤＯ呼を公衆網にルーティングする。
【０１０１】
前記手順は、端末がＡＮ−ＡＡＡで認証を受けておいた場合の動作であるが、以下では端末がＡＮ−ＡＡＡで認証を受けていなかった場合の動作について説明する。
【０１０２】
図６は、無線公衆網と私設網とが連動された網において、未認証の端末がＥＶ−ＤＯサービスの提供を受ける工程を示す図である。
【０１０３】
先ず、私設網サービス領域内で任意の端末(ＡＴ)がＥＶ−ＤＯを要求する接続要求（Connection_Request）のメッセージを伝送すると(Ｓ１１０)、ＡＴＰＳ２２２の有するＡＮＭＲで端末のアクセスメッセージである接続要求（Connection_Request）の メッセージのヘッダーから該当する端末のＵＡＴＩを取得する。
【０１０４】
このとき、取得したＵＡＴＩと共に認証情報要求（IMSI_Request）のメッセージを私設ＤＬＲ２５０へ伝送したとしても、私設ＤＬＲ２５０には認証情報（ＩＭＳＩ）がない状態なので、機能コードで設定されている情報が分からない。
【０１０５】
よって、これを公衆網にルーティングするようにすると、認証を完了した後に直ちにサービス状態となるので、仮に、実施には加入者の端末が私設ＥＶ−ＤＯサービスを要求したものである場合にもかかわらず公衆網サービスを使うようになる場合が発生する。したがって、未認証の端末である場合、接続要求（Connection_Request）のメッセージについては私設網にルーティングしてなければならない。
【０１０６】
したがって、端末とＡＴＰＳ２２２との間に接続が成立されると(Ｓ１１１)、すぐに認証手続きを試みる(Ｓ１１２)。なお、ＡＮ−ＡＡＡ３６０とＲＤＰ２２３との間に専用線が設けられていたらこの専用線を介して直接アクセスすることができ、直接アクセスが不可能であったらＩＰＣを介してアクセスすることができる(Ｓ１１３)。 
【０１０７】
そして、認証を完了した後、端末のＩＭＳＩを私設ＤＬＲ２５０にアップデート(Ｓ１１４)してから、ＡＴＰＳ２２２により接続を解除する(Ｓ１１５)。
【０１０８】
したがって、私設ＥＶ−ＤＯサービスを要求した状態の端末は、認証の前に接続要求（Connection_Request）のメッセージについて私設網にルーティングして処理するようなる。
【０１０９】
このようにして認証を受けておいた状態において、その後に当該端末がアクセスを試みれば、ＡＴＰＳ２２２のＡＮＭＲで端末からのアクセスメッセージである接続要求（Connection_Request）のメッセージを受信して(Ｓ１１６)、このメッセージのヘッダーから該当する端末のＵＡＴＩを取得する。
【０１１０】
そして、取得したＵＡＴＩと認証情報要求（IMSI_Request）のメッセージを私設ＤＬＲ２５０へ伝送すると(Ｓ１１７)、私設ＤＬＲ２５０はＵＡＴＩに対応するＩＭＳＩ値を認証要求応答（IMSI_Response）としてＡＴＰＳ２２２へ伝送する(Ｓ１１８)。
【０１１１】
このＩＭＳＩ値は、ＢＭＰ２２１のＢＴＭＲへ伝送され(Ｓ１１９)、ＢＭＰ（ＶＬＲ）２２１に保存されているＩＭＳＩ値に対応した該当端末の使用網設定情報が参照される。 
【０１１２】
このとき、該当端末が私設ＥＶ−ＤＯを選択した設定にされていれば、現在発生しているＥＶ−ＤＯ呼を私設網にルーティングする。一方、公衆ＥＶ−ＤＯを選択した設定にされていれば、ＥＶ−ＤＯ呼を公衆網にルーティングする。
【０１１３】
以上の説明においては、ＥＶ−ＤＯサービスの経由網を予め設定してから私設網または公衆網ＥＶ−ＤＯサービスの提供を受けることができる方法と、ＥＶ−ＤＯサービス呼の要求の際にどの網を経由するかについての識別子を併せて伝送してデータサービス呼の要求と同時に使用網が設定する方法を説明した。
【０１１４】
前記ＥＶ−ＤＯサービス呼の要求時にどの網を経由するかについての識別子を併せて伝送してＥＶ−ＤＯサービス呼の要求と同時に使用網が設定される方法については、経路判断部２１０で識別子を認識して当該識別子に表示された網へＥＶ−ＤＯ呼を伝送する方式を一例に挙げたが、この方式の以外にもいろいろに変形して実施することができる。
【０１１５】
本発明は、本発明の技数的思想から逸脱することなく、他の種々の形態で実施することができる。前述の実施例は、あくまでも、本発明の技数内容を明らかにするものであって、そのような具体例のみに限定して狭義に解釈されるべきものではなく、本発明の精神と特許請求の範囲内で、いろいろと変更して実施することができるものである。
【図面の簡単な説明】
【０１１６】
【図１】一般的な無線私設網と私設ＥＶ−ＤＯサービスのための連動システムを概略的に示したブロック図である。
【図２】従来の無線公衆網と私設網とが連動された網でＥＶ−ＤＯサービスを提供する工程を示した図である。
【図３】本発明の実施形態による無線公衆網と有無線私設網とが連動された網で該当網選択ＥＶ−ＤＯサービス提供に関する概念的なブロック図である。
【図４】私設網が公衆網ＢＳＣに接続されたシステムでのＥＶ−ＤＯサービスを提供するシステムに関するブロック図である。
【図５】本発明の実施形態による無線公衆網と私設網とが連動された網において認証を受けた端末がＥＶ−ＤＯサービスを受ける工程を示した図である。
【図６】本発明の実施形態による無線公衆網と私設網とが連動された網において未認証の端末がＥＶ−ＤＯサービスを受ける工程を示した図である。
【符号の説明】
【０１１７】
１００  ＢＴＳ
２００  私設ＥＶ−ＤＯシステム
２１０  経路判断部
２２０  私設ＢＳＣ
２２１  ＢＭＰ(ＶＬＲ)
２２２  ＡＴＰ−Ｓ(ＡＮＭＲ) 
２２３  ＲＤＰ(ＰＣＦ)
２３０  私設ＨＬＲ
２４０  私設ＰＤＳＮ
２５０  私設ＤＬＲ
２６０  私設コンテンツサーバー
３００  公衆ＥＶ−ＤＯシステム
３２０  ＢＳＣ 
３２１  ＢＭＰ(ＶＬＲ)
３２２  ＡＴＰ−Ｓ(ＡＮＭＲ) 
３２３  ＲＤＰ(ＰＣＦ)
３３０  ＨＬＲ 
３４０  ＰＤＳＮ
３５０  ＤＬＲ 
４００  公衆網コンテンツサーバー
【図１】
2005223907.tif 000003
【図２】
2005223907.tif 000004
【図３】
2005223907.tif 000005
【図４】
2005223907.tif 000006
【図５】
2005223907.tif 000007
【図６】
2005223907.tif 000008